(57)【要約】【課題】  表示特性を向上させることが可能な液晶表示装置を提供する。【解決手段】  液晶表示装置は、第１及び第２基板１１、１２と、第１及び第２基板１１、１２間に充填された液晶層１３と、画素に対応するようにして第１基板１１に設けられた画素電極１７と、第２基板１２に設けられた第１共通電極２０と、第１共通電極２０上に設けられたカラーフィルタ２１と、カラーフィルタ２１上に設けられ、画素電極１７に重なるように配置された開口部２３を有し、第１共通電極２０に電気的に接続された第２共通電極２２とを含む。【選択図】  図２
2018200453.tif 000002
【特許請求の範囲】
【請求項１】
第１及び第２基板と、
前記第１及び第２基板間に充填された液晶層と、
画素に対応するようにして前記第１基板に設けられた画素電極と、
前記第２基板に設けられた第１共通電極と、
前記第１共通電極上に設けられたカラーフィルタと、
前記カラーフィルタ上に設けられ、前記画素電極に重なるように配置された開口部を有し、前記第１共通電極に電気的に接続された第２共通電極と
を具備する液晶表示装置。
【請求項２】
第１及び第２基板と、
前記第１及び第２基板間に充填された液晶層と、
画素アレイに対応するようにして前記第１基板に設けられた複数の画素電極と、
前記画素アレイの複数の行に対応するようにして前記第２基板に設けられ、それぞれが第１方向に延びる複数の第１共通電極と、
前記複数の第１共通電極上に設けられたカラーフィルタと、
前記カラーフィルタ上に設けられ、前記複数の画素電極に重なるように配置された複数の開口部を有し、前記複数の第１共通電極に電気的に接続された第２共通電極と
を具備する液晶表示装置。
【請求項３】
前記第１基板及び前記第２基板の各々は、表示領域と、前記表示領域の周囲の周辺領域とを有し、
前記第１共通電極及び前記第２共通電極の各々は、前記表示領域及び前記周辺領域に設けられ、
前記第１共通電極は、前記周辺領域において、前記第２共通電極に接する
請求項１又は２に記載の液晶表示装置。
【請求項４】
前記第１共通電極と前記第２共通電極とに同じ電圧を印加する制御回路をさらに具備する
請求項１乃至３のいずれかに記載の液晶表示装置。
【請求項５】
前記液晶層は、負の誘電率異方性を有する液晶材料を含み、垂直配向を有する
請求項１乃至４のいずれかに記載の液晶表示装置。
【発明の詳細な説明】
【技術分野】
【０００１】
本発明は、液晶表示装置に関する。
【背景技術】
【０００２】
液晶表示装置の配向制御において、ＶＡ（Vertical Alignment）モードが知られている。ＶＡモードの液晶表示装置では、電圧を印加していない時に棒状の液晶分子が実質的に垂直方向に配向し、電圧を印加した時に液晶分子が実質的に水平方向に配向する。さらに、視野角拡大のため、ＶＡモードをマルチドメイン化したＭＶＡ（Multi-domain Vertical Alignment）モードが知られている。
【０００３】
ＭＶＡモードでは、例えば、液晶層の配向制御に突起が使用される。製造工程に起因して、突起の微細化には限界があり、このため、画素を微細化するのが困難になる。また、突起の側面付近では、この側面に沿って液晶分子が傾いてしまい、この領域において光漏れが発生する。この光漏れにより、コントラストが低下してしまう。
【先行技術文献】
【特許文献】
【０００４】
【特許文献１】特開２００６−１２６８１１号公報
【特許文献２】特開２００６−１８４３３４号公報
【発明の概要】
【発明が解決しようとする課題】
【０００５】
本発明は、表示特性を向上させることが可能な液晶表示装置を提供する。
【課題を解決するための手段】
【０００６】
本発明の一態様に係る液晶表示装置は、第１及び第２基板と、前記第１及び第２基板間に充填された液晶層と、画素に対応するようにして前記第１基板に設けられた画素電極と、前記第２基板に設けられた第１共通電極と、前記第１共通電極上に設けられたカラーフィルタと、前記カラーフィルタ上に設けられ、前記画素電極に重なるように配置された開口部を有し、前記第１共通電極に電気的に接続された第２共通電極とを具備する。
【０００７】
本発明の一態様に係る液晶表示装置は、第１及び第２基板と、前記第１及び第２基板間に充填された液晶層と、画素アレイに対応するようにして前記第１基板に設けられた複数の画素電極と、前記画素アレイの複数の行に対応するようにして前記第２基板に設けられ、それぞれが第１方向に延びる複数の第１共通電極と、前記複数の第１共通電極上に設けられたカラーフィルタと、前記カラーフィルタ上に設けられ、前記複数の画素電極に重なるように配置された複数の開口部を有し、前記複数の第１共通電極に電気的に接続された第２共通電極とを具備する。
【発明の効果】
【０００８】
本発明によれば、表示特性を向上させることが可能な液晶表示装置を提供することができる。
【図面の簡単な説明】
【０００９】
【図１】本発明の第１実施形態に係る液晶表示装置の平面図。
【図２】図１のＡ−Ａ´線に沿った液晶表示装置の断面図。
【図３】３つの画素を抽出して示した平面図。
【図４】図３に示したＢ−Ｂ´線に沿った画素の断面図。
【図５】オフ状態における液晶表示装置の動作を説明する図。
【図６】オフ状態における液晶表示装置の動作を説明する図。
【図７】オン状態における液晶表示装置の動作を説明する図。
【図８】オン状態における液晶表示装置の動作を説明する図。
【図９】比較例に係る液晶表示装置の動作を説明する図。
【図１０】比較例に係る液晶表示装置の動作を説明する図。
【図１１】比較例に係る液晶表示装置の表示画面の様子を説明する模式図。
【図１２】比較例に係る液晶表示装置の動作を説明する図。
【図１３】比較例に係る液晶表示装置の動作を説明する図。
【図１４】本発明の第２実施形態に係る液晶表示装置の平面図。
【図１５】本発明の第３実施形態に係る液晶表示装置の平面図。
【図１６】図１５のＡ−Ａ´線に沿った液晶表示装置の断面図。
【発明を実施するための形態】
【００１０】
以下、実施形態について図面を参照して説明する。ただし、図面は模式的または概念的なものであり、各図面の寸法および比率等は必ずしも現実のものと同一とは限らない。また、図面の相互間で同じ部分を表す場合においても、互いの寸法の関係や比率が異なって表される場合もある。特に、以下に示す幾つかの実施形態は、本発明の技術思想を具体化するための装置および方法を例示したものであって、構成部品の形状、構造、配置等によって、本発明の技術思想が特定されるものではない。なお、以下の説明において、同一の機能及び構成を有する要素については同一符号を付し、重複説明は必要な場合にのみ行う。
【００１１】
［第１実施形態］
［１］  液晶表示装置の構成
図１は、本発明の第１実施形態に係る液晶表示装置１０の平面図である。図２は、図１のＡ−Ａ´線に沿った液晶表示装置１０の断面図である。
【００１２】
液晶表示装置１０は、スイッチング素子（ＴＦＴ）及び画素電極等が形成されるＴＦＴ基板１１と、カラーフィルタ及び共通電極等が形成されかつＴＦＴ基板１１に対向配置されるカラーフィルタ基板（ＣＦ基板）１２とを備える。ＴＦＴ基板１１及びＣＦ基板１２の各々は、透明基板（例えば、ガラス基板、又はプラスチック基板）から構成される。ＴＦＴ基板１１は、バックライト（図示せず）に対向配置され、バックライトからの照明光は、ＴＦＴ基板１１側から液晶表示装置１０に入射する。
【００１３】
液晶層１３は、ＴＦＴ基板１１及びＣＦ基板１２間に充填される。具体的には、液晶層１３は、ＴＦＴ基板１１及びＣＦ基板１２と、シール材１４とによって包囲された領域内に封入される。シール材１４は、例えば、紫外線硬化樹脂、熱硬化樹脂、又は紫外線・熱併用型硬化樹脂等からなり、製造プロセスにおいてＴＦＴ基板１１又はＣＦ基板１２に塗布された後、紫外線照射、又は加熱等により硬化させられる。
【００１４】
液晶層１３を構成する液晶材料は、ＴＦＴ基板１１及びＣＦ基板１２間に印加された電界に応じて液晶分子の配向が操作されて光学特性が変化する。本実施形態の液晶表示装置１０は、垂直配向（ＶＡ：Vertical Alignment）型液晶を用いたＶＡモードである。すなわち、液晶層１３として負の誘電率異方性を有するネガ型（Ｎ型）のネマティック液晶が用いられ、液晶分子は、電圧（電界）を印加しない時には基板面に対してほぼ垂直に配向する。ＶＡモードの液晶分子配列は、電圧を印加しない時に液晶分子の長軸（ダイレクタ）が垂直に配向し、電圧を印加した時に液晶分子の長軸が水平方向に向かって傾く。なお、液晶モードはホモジニアスモードでも良いが、コントラスト（白（最大輝度）／黒（最小輝度））を向上させる観点からは、ＶＡモードの方が最適である。
【００１５】
ホモジニアスモードでは、液晶層として正の誘電率異方性を有するポジ型（Ｐ型）のネマティック液晶が用いられ、液晶分子は、電圧（電界）を印加しない時には基板面に対して概略水平方向に配向する。ホモジニアスモードでは、電圧を印加しない時に液晶分子の長軸（ダイレクタ）が概略水平方向に配向し、電圧を印加した時に液晶分子の長軸が垂直方向に向かって傾く。
【００１６】
液晶表示装置１０は、表示領域（view area）１０Ａと、表示領域１０Ａを囲む周辺領域１０Ｂとを備える。表示領域１０Ａは、画像が表示される領域であり、表示領域１０Ａには、複数の画素（画素アレイ）が配置される。周辺領域１０Ｂは、額縁とも呼ばれる。周辺領域１０Ｂは、例えば、常に黒として視認される。
【００１７】
液晶表示装置１０は、例えばマトリクス状に配置された複数の画素１５を備える。図３は、３つの画素１５を抽出して示した平面図である。図４は、図３に示したＢ−Ｂ´線に沿った画素１５の断面図である。
【００１８】
一般的な画素は、光の三原色である赤（Ｒ）、緑（Ｇ）、及び青（Ｂ）で構成される。隣接した赤、緑、及び青の三色のセットが表示の単位（画素）となっており、１つの画素中の赤、緑、及び青のいずれか単色の部分はサブ画素（サブピクセル）と呼ばれる最小駆動単位である。図３では、赤のサブ画素１５−Ｒ、緑のサブ画素１５−Ｇ、及び青のサブ画素１５−Ｂを示している。本明細書の説明では、画素とサブ画素との区別が特に必要な場合を除き、サブ画素を画素と呼ぶものとする。画素の配列には、ストライプ配列、デルタ配列、又はモザイク配列など任意の方式を用いることができる。
【００１９】
ＴＦＴ基板１１の液晶層１３側には、複数の画素に対応した数の複数のスイッチング素子（アクティブ素子）１６が設けられる。スイッチング素子１６としては、例えばＴＦＴ（Thin Film Transistor）が用いられ、またｎチャネルＴＦＴが用いられる。図４では、ＴＦＴ１６を簡略化して示している。ＴＦＴ１６は、走査線に電気的に接続されるゲート電極と、ゲート電極上に設けられたゲート絶縁膜と、ゲート絶縁膜上に設けられた半導体層と、半導体層上に互いに離間して設けられたソース電極及びドレイン電極とを備える。ソース電極は、信号線に電気的に接続される。
【００２０】
ＴＦＴ基板１１上には、複数の画素に対応した数の複数の画素電極１７が設けられる。画素電極１７は、ＴＦＴ１６に電気的に接続される。画素電極１７は、画素の面積より若干小さい面積を有する。画素電極１７は、透明電極から構成され、例えばＩＴＯ（インジウム錫酸化物）が用いられる。
【００２１】
ＴＦＴ基板１１、ＴＦＴ１６、及び画素電極１７上には、液晶層１３の初期配向を制御する配向膜１８が設けられる。配向膜１８は、図２において図示を省略している。
【００２２】
次に、ＣＦ基板１２側の構成について説明する。ＣＦ基板１２の液晶層１３側には、遮光用のブラックマトリクス（ブラックマスク、遮光膜ともいう）１９が設けられる。ブラックマトリクス１９は、画素の境界部に配置され、網目状に形成される。ブラックマトリクス１９は、ＴＦＴ１６を遮光する機能と、色の異なるカラーフィルタ間の不要な光を遮蔽することで、コントラストを向上させる機能とを有する。
【００２３】
ＣＦ基板１２及びブラックマトリクス１９上には、第１共通電極（下部共通電極）２０が設けられる。第１共通電極２０は、ＣＦ基板１２上に平面状に形成され、少なくとも表示領域１０Ａより大きい面積を有する。本実施形態では、第１共通電極２０は、後述するカラーフィルタより大きく、シール材１４の内側の領域より小さい面積を有する。第１共通電極２０は、透明電極から構成され、例えばＩＴＯが用いられる。
【００２４】
第１共通電極２０上には、カラーフィルタ２１が設けられる。カラーフィルタ２１は、複数のカラー部材を備え、具体的には、複数の赤フィルタ２１−Ｒ、複数の緑フィルタ２１−Ｇ、及び複数の青フィルタ２１−Ｂを備える。赤フィルタ２１−Ｒは、赤のサブ画素１５−Ｒを構成し、緑フィルタ２１−Ｇは、緑のサブ画素１５−Ｇを構成し、青フィルタ２１−Ｂは、青のサブ画素１５−Ｂを構成する。
【００２５】
カラーフィルタ２１上には、第２共通電極（上部共通電極）２２が設けられる。第２共通電極２２は、少なくとも表示領域１０Ａより大きい面積を有する。本実施形態では、第２共通電極２２は、カラーフィルタ２１より大きい面積を有し、ＣＦ基板１２と同じ面積を有する。第２共通電極２２は、透明電極から構成され、例えばＩＴＯが用いられる。
【００２６】
第２共通電極２２には、液晶層１３の配向を制御するために、複数の開口部（ホール）２３が設けられる。複数の開口部２３はそれぞれ、複数の画素１５（すなわち、複数の画素電極１７）に対応して設けられる。
【００２７】
本実施形態の液晶表示装置１０は、マルチドメイン（配向分割）方式が適用され、すなわち、ＭＶＡ（Multi-domain Vertical Alignment）モードが適用される。ＭＶＡモードでは、１つの画素を複数の領域（ドメイン）に分割し、複数の領域で液晶分子が傾く方向を変える。第２共通電極２２に形成された開口部２３は、液晶分子が傾く方向を制御する。すなわち、複数の液晶分子は、開口部２３を中心として放射状に傾く。ＭＶＡモードを採用することで、視野角依存性を大幅に低減でき、視野角を大きくできる。
【００２８】
開口部２３は、画素１５（又は、画素電極１７）の中央付近に配置される。開口部２３の平面形状は、例えば円である。開口部２３の平面形状は、楕円、四角形、四角形以外の多角形であってもよい。
【００２９】
第２共通電極２２は、周辺領域１０Ｂにおいて、第１共通電極２０に電気的に接続される。よって、第１共通電極２０と第２共通電極２２とは、同じ電圧に設定される。
【００３０】
第２共通電極２２及びカラーフィルタ２１上には、液晶層１３の初期配向を制御する配向膜２４が設けられる。配向膜２４は、図２において図示を省略している。
【００３１】
ＴＦＴ基板１１の端部には、制御回路２５が設けられる。制御回路２５は、例えばＬＳＩ回路（large‐scale integrated circuit）から構成される。制御回路２５は、ＴＦＴ１６に電気的に接続された走査線及び信号線と、第１共通電極２０及び第２共通電極２２とに電気的に接続される。制御回路２５は、各画素１５に複数の電圧を印加することで、画素１５の動作を制御する。
【００３２】
なお、図示は省略するが、液晶表示装置１０は、ＴＦＴ基板１１及びＣＦ基板１２を両側から挟むようにして、一対の偏光板（直線偏光子）、及び一対の位相差板（１／４波長板）を備える。
【００３３】
［２］  液晶表示装置１０の動作
次に、上記のように構成された液晶表示装置１０の動作について説明する。
【００３４】
図５及び図６は、オフ状態における液晶表示装置１０の動作を説明する図である。図５が１つの画素１５を抽出した断面図、図６が液晶層１３を模式的に示した平面図である。オフ状態とは、第２共通電極２２と画素電極１７とに同電圧（例えば０Ｖ）が印加された状態であり、液晶層１３に電界が印加されていない状態である。
【００３５】
オフ状態では、液晶表示装置１０は、黒表示である。すなわち、２つの偏光板（図示せず）は、直交ニコルで配置され、一方の偏光板を透過した直線偏向は、他方の偏光板で遮蔽される。
【００３６】
一般的に、パネル製造工程（基板搬送や偏光板貼付け）において、基板（例えばガラス基板）はプラスに帯電する性質がある。図５では、ＴＦＴ基板１１及びＣＦ基板１２にそれぞれ帯電した正電荷を模式的に示している。
【００３７】
オフ状態において、制御回路２５は、第２共通電極２２と画素電極１７とに、例えば０Ｖを印加する。第１共通電極２０は、第２共通電極２２に電気的に接続されているので、第２共通電極２２と同じ電圧に設定される。この時、開口部２３が存在する領域には、０Ｖが印加された第１共通電極２０が存在するため、液晶層１３の配向を乱す原因となる不要な電荷は存在しない。よって、開口部２３が存在する領域において、液晶分子は、初期状態を維持し、垂直方向に配向する。また、第２共通電極２２が存在する領域でも、液晶分子は、初期状態を維持し、垂直方向に配向する。すなわち、表示領域１０Ａ全体において、液晶層１３は、垂直配向となる。
【００３８】
図７及び図８は、オン状態における液晶表示装置１０の動作を説明する図である。図７が１つの画素１５を抽出した断面図、図８が液晶層１３を模式的に示した平面図である。オン状態とは、第２共通電極２２と画素電極１７とに異なる電圧（例えば０Ｖ及び正電圧）が印加された状態であり、液晶層１３に電界が印加されている状態である。なお、第２共通電極２２及び画素電極１７には、交流電圧が印加される。
【００３９】
オン状態では、液晶表示装置１０は、白表示であり、実際には、カラーフィルタに応じたカラー表示となる。すなわち、２つの偏光板（図示せず）は、直交ニコルで配置され、一方の偏光板を透過した直線偏向は、液晶層１３で所定の位相差（λ／２）を付与され、他方の偏光板を透過する。
【００４０】
オン状態において、制御回路２５は、第２共通電極２２（及び第１共通電極２０）と画素電極１７との間に正電圧を印加する。具体的には、制御回路２５は、第２共通電極２２（及び第１共通電極２０）に０Ｖ、画素電極１７に正電圧を印加する。第２共通電極２２と画素電極１７とに印加される電圧は、所定時間ごとに極性が反転する交流電圧である。
【００４１】
オン状態では、液晶分子は、開口部２３を中心として、ほぼ水平になるまで放射状に傾く。開口部２３の中心は、電界がかからず、液晶分子はほぼ垂直方向に配向する。すなわち、開口部２３の中心は、１つの画素１５における液晶層１３の配向中心となる。これにより、液晶分子が傾く方向が複数の領域で異なるように配向制御できるため、視野角依存性を低減できる。
【００４２】
［３］  比較例
次に、比較例について説明する。図９及び図１０は、比較例に係る液晶表示装置の動作を説明する図である。図９が１つの画素１５を抽出した断面図、図１０が液晶層１３を模式的に示した平面図である。図９及び図１０は、オフ状態における液晶層１３の配向を表している。
【００４３】
比較例では、上記実施形態で示した第１共通電極２０が設けられない。すなわち、ＣＦ基板１２上には、ブラックマトリクス１９、及びカラーフィルタ２１（赤フィルタ２１−Ｒ、緑フィルタ２１−Ｇ、及び青フィルタ２１−Ｂ）が設けられる。カラーフィルタ２１上には、共通電極２２が設けられる。共通電極２２には、画素ごとに開口部２３が設けられる。比較例の開口部２３も、上記実施形態と同様に、液晶配向を制御するために用いられる。
【００４４】
比較例では、開口部２３が存在する領域に共通電極が設けられない。このため、プラスに帯電したＣＦ基板１２に起因して、開口部２３は、マイナスに帯電する。図９では、開口部２３に帯電した負電荷を模式的に示している。
【００４５】
オフ状態では、共通電極２２及び画素電極１７に０Ｖが印加される。しかし、開口部２３がマイナスに帯電しているため、開口部２３が存在する領域では、液晶層１３に電界が印加される。これにより、液晶分子が水平方向に配向する。開口部２３が存在する領域では、光が抜けてくるため、白表示となる。また、共通電極２２及び画素電極１７間に低い電圧を印加した場合、すなわち中間調を表示した場合も、開口部２３が存在する領域では、液晶分子が水平方向に配向するため、白表示となる。
【００４６】
図１１は、比較例に係る液晶表示装置の表示画面の様子を説明する模式図である。オフ状態では、液晶表示装置は、黒表示となる。表示画面のうち開口部２３が存在する領域では、光が抜けてくるため、白表示となる。よって、比較例では、黒表示の中に意図しない白の点が視認されるので、表示特性が劣化してしまう。
【００４７】
これに対して、本実施形態では、開口部２３が存在する領域には、第１共通電極２０が設けられる。第１共通電極２０には、第２共通電極２２と同じ電圧が印加される。これにより、開口部２３がマイナスに帯電するのを防ぐことができるため、表示画面全体が黒表示となる。すなわち、黒表示の中に白の点が視認されるのを防ぐことができる。
【００４８】
図１２及び図１３は、比較例のオン状態における液晶表示装置の動作を説明する図である。図１２が１つの画素１５を抽出した断面図、図１３が液晶層１３を模式的に示した平面図である。
【００４９】
オン状態において、共通電極２２と画素電極１７との間に正電圧が印加される。オン態では、液晶表示装置は、白表示である。
【００５０】
［４］  第１実施形態の効果
以上詳述したように第１実施形態では、液晶表示装置１０は、ＴＦＴ基板１１及びＣＦ基板１２間に充填された液晶層１３と、画素１５に対応するようにしてＴＦＴ基板１１に設けられた画素電極１７、ＣＦ基板１２に設けられた第１共通電極２０と、第１共通電極２０上に設けられたカラーフィルタ２１と、カラーフィルタ２１上に設けられた第２共通電極２２とを備える。第２共通電極２２は、画素電極１７に重なるように配置された開口部２３を有し、第１共通電極２０に電気的に接続される。そして、オフ状態において、第１共通電極２０は、第２共通電極２２と同じ電圧に設定される。
【００５１】
従って第１実施形態によれば、ＴＦＴ基板１１及びＣＦ基板１２がプラスに帯電した場合でも、開口部２３がマイナスに帯電するのを防ぐことができる。これにより、オフ状態かつ黒表示において、表示領域全体で液晶層１３が垂直配向となる。この結果、液晶表示装置１０の表示特性を向上させることができる。また、コントラストを向上させることができる。特に、黒表示において、開口部２３から光が抜けてくるのを防ぐことができる。
【００５２】
また、第１共通電極２０は、シール材１４より内側に形成され、第２共通電極２２は、シール材１４の外側まで形成される。そして、シール材１４は、第２共通電極２２のみに接着させる。これにより、ＴＦＴ基板１１とＣＦ基板１２とをシール材１４で固定させた場合に、ＴＦＴ基板１１とＣＦ基板１２との密着性が劣化するのを抑制できる。
【００５３】
また、配向分割制御のために開口部２３を用いている。配向制御には、突起を使用する方法もある。しかし、突起のサイズ（面積）を小さくするには限界があり、画素のサイズを小さくすることが困難である。開口部２３の面積は、突起に比べてより小さくできるため、画素を微細化することができる。
【００５４】
また、ＭＶＡ方式（配向分割方式）を実現できるため、視野角依存性を低減できる。
【００５５】
［第２実施形態］
第１実施形態では、第１共通電極２０が表示領域１０Ａを覆うように平面状に設けられる。第２実施形態では、ラインアンドスペースで形成された複数の第１共通電極２０を設け、複数の第１共通電極２０が開口部２３に重なるように配置している。
【００５６】
図１４は、本発明の第２実施形態に係る液晶表示装置１０の平面図である。図１４のＡ−Ａ´線に沿った液晶表示装置１０の断面図は、図２と同じである。表示領域１０Ａには、画素アレイが設けられる。
【００５７】
ＣＦ基板１２及びブラックマトリクス１９上には、複数の第１共通電極（下部共通電極）２０が設けられる。複数の第１共通電極２０は、それぞれがＸ方向に延び、Ｙ方向に並んで配置される。Ｘ方向は、画素アレイの行方向に対応し、Ｙ方向は、画素アレイの列方向に対応する。
【００５８】
複数の第１共通電極２０は、画素アレイの複数の行に対応して設けられる。各第１共通電極２０は、一行の画素ラインに重なるように配置され、また、開口部２３にも重なるように配置される。
【００５９】
第１共通電極２０の幅（Ｙ方向の長さ）は、開口部２３のＹ方向の長さより長い。例えば、第１共通電極２０の幅は、画素１５のＹ方向の長さ、すなわち、画素電極１７のＹ方向の長さと同じである。
【００６０】
第１共通電極２０の長さ（Ｘ方向の長さ）は、表示領域１０ＡのＸ方向の長さより長い。本実施形態では、第１共通電極２０の長さは、カラーフィルタ２１のＸ方向の長さより長く、シール材１４の内側の領域におけるＸ方向の長さより短い。
【００６１】
複数の第１共通電極２０は、周辺領域１０Ｂにおいて、第２共通電極２２に電気的に接続される。よって、複数の第１共通電極２０と第２共通電極２２とは、同じ電圧に設定される。
【００６２】
オフ状態において、制御回路２５は、制御回路２５は、複数の第１共通電極２０、第２共通電極２２、及び画素電極１７に、例えば０Ｖを印加する。開口部２３が存在する領域には、０Ｖが印加された第１共通電極２０が存在するため、液晶層１３の配向を乱す原因となる不要な電荷は存在しない。よって、開口部２３が存在する領域において、液晶分子は、初期状態を維持し、垂直方向に配向する。よって、表示領域１０Ａ全面において、黒表示が実現される。
【００６３】
第２実施形態においても、第１実施形態と同じ効果を得ることができる。
【００６４】
なお、複数の第１共通電極２０は、それぞれがＹ方向に延び、Ｘ方向に並んで配置されるように構成してもよい。すなわち、複数の第１共通電極２０は、画素アレイの複数の列に対応して設けられる。このように構成した場合でも、第２実施形態と同じ動作が実現できる。
【００６５】
［第３実施形態］
第１実施形態では、ブラックマトリクス１９上に第１共通電極２０を形成しているが、この積層順序は逆でも構わない。
【００６６】
図１５は、本発明の第３実施形態に係る液晶表示装置１０の平面図である。図１６は、図１５のＡ−Ａ´線に沿った液晶表示装置１０の断面図である。
【００６７】
第１共通電極２０は、ＣＦ基板１２上に平面状に設けられる。例えば、第１共通電極２０は、ＣＦ基板１２と同じ面積を有する。第１共通電極２０上には、ブラックマトリクス１９が設けられる。ブラックマトリクス１９及び第１共通電極２０上には、カラーフィルタ２１が設けられる。
【００６８】
カラーフィルタ２１上には、第２共通電極２２が設けられる。例えば、第２共通電極２２は、ＣＦ基板１２と同じ面積を有する。第２共通電極２２は、周辺領域１０Ｂにおいて、第１共通電極２０に電気的に接続される。第１共通電極２０と第２共通電極２２とを電気的に接続する他の方法としては、周辺領域１０Ｂのブラックマトリクス１９に複数の開口部を空け、この開口部を介して第１共通電極２０と第２共通電極２２とを電気的に接続してもよい。
【００６９】
第３実施形態においても、第１実施形態と同じ効果を得ることができる。また、第３実施形態を第２実施形態に適用することも可能である。
【００７０】
上記各実施形態では、第１共通電極２０と第２共通電極２２とが電気的に接続されている。しかし、この構成に限定されるものではなく、第１共通電極２０と第２共通電極２２とが電気的に接続されていなくてもよい。この変形例の場合、制御回路２５は、第１共通電極２０と第２共通電極２２とに同じ電圧を印加する。これにより、上記各実施形態と同じ動作を実現できる。
【００７１】
本明細書において、形状、幾何学的条件及びそれらの程度を特定する、例えば、「平行」、「直交」、「垂直」、「同一」等の用語や長さや角度の値等については、厳密な意味に縛られることなく、同様の機能を期待し得る程度の範囲を含めて解釈される。
【００７２】
本発明は、上記実施形態に限定されるものではなく、その要旨を逸脱しない範囲内で、構成要素を変形して具体化することが可能である。さらに、上記実施形態には種々の段階の発明が含まれており、１つの実施形態に開示される複数の構成要素の適宜な組み合わせ、若しくは異なる実施形態に開示される構成要素の適宜な組み合わせにより種々の発明を構成することができる。例えば、実施形態に開示される全構成要素から幾つかの構成要素が削除されても、発明が解決しようとする課題が解決でき、発明の効果が得られる場合には、これらの構成要素が削除された実施形態が発明として抽出されうる。
【符号の説明】
【００７３】
１０…液晶表示装置、１１…ＴＦＴ基板、１２…ＣＦ基板、１３…液晶層、１４…シール材、１５…画素、１６…スイッチング素子、１７…画素電極、１８，２４…配向膜、１９…ブラックマトリクス、２０…第１共通電極、２１…カラーフィルタ、２２…第２共通電極、２３…開口部、２５…制御回路
【図１】
2018200453.tif 000003
【図２】
2018200453.tif 000004
【図３】
2018200453.tif 000005
【図４】
2018200453.tif 000006
【図５】
2018200453.tif 000007
【図６】
2018200453.tif 000008
【図７】
2018200453.tif 000009
【図８】
2018200453.tif 000010
【図９】
2018200453.tif 000011
【図１０】
2018200453.tif 000012
【図１１】
2018200453.tif 000013
【図１２】
2018200453.tif 000014
【図１３】
2018200453.tif 000015
【図１４】
2018200453.tif 000016
【図１５】
2018200453.tif 000017
【図１６】
2018200453.tif 000018